(57)【特許請求の範囲】
【請求項１】
筐体と、該筐体に収容されて前方に引出し自在の上部が開放された洗浄槽と、該洗浄槽の内部に食器を支持する食器かごとを備える食器洗浄機において、
前記洗浄槽は、その周壁内面に、前記食器かごを回動自在且つ付け外し可能に軸支する軸受部を一体に備え、
前記軸受部は、前記洗浄槽の互いに対向する周壁内面から突出する突出部と、該突出部に形成されて前記食器かごが備える回動軸を装着自在とすべく上端が開放され下端が閉塞された溝状の凹部とを備え、
前記食器かごの前記回動軸は、前記凹部の下端に着座して回動自在となり、
前記軸受部の前記突出部は、前記凹部の前方側の突出部と前記凹部の後方側の突出部とからなり、
前記凹部の前方側の突出部と前記凹部の後方側の突出部との夫々の上端面には、前記凹部に向かって次第に下降する傾斜面が互いに対向して形成され、
前記凹部の前方側の前記突出部の最上部の高さは、前記凹部の後方側の前記突出部の最上部より低く形成されていることを特徴とする食器洗浄機。
【発明の詳細な説明】
【技術分野】
【０００１】
本発明は、食器かごに支持した食器を洗浄する食器洗浄機に関する。
【背景技術】
【０００２】
システムキッチンに設置されるビルトイン型の食器洗浄機は、システムキッチンに組み込まれた筐体から洗浄槽を前方に引き出して食器を出し入れするようになっている。この洗浄槽は、箱型で上面が開放されており、内部に食器かごを備えている。洗浄槽に食器を入れるときには、引き出された状態の洗浄槽の上方から食器かごに食器を載置する。
【０００３】
従来、この種の洗浄槽に設けられる食器かごは上下２段に構成され、下段の食器かごには大皿、小皿、椀等の比較的大きい食器が載置され、上段の食器かごにはコップや湯飲み類といった比較的小さい食器が載置されるようになっている（例えば特許文献１参照）。そして、上段の食器かごは、下段の食器かごへの食器を載置するときに邪魔にならないように、起立方向に回動することができるように設けられている。
【先行技術文献】
【特許文献】
【０００４】
【特許文献１】特開２００３−６１８９４号公報
【発明の概要】
【発明が解決しようとする課題】
【０００５】
しかし、上記従来の食器かごは、上段の食器かごと下段の食器かごとが連結された状態で構成されており、下段の食器かごには、上段の食器かごを回動自在に支持するための構成が必要となる。更に、下段の食器かごが上段の食器かごに載置した食器の荷重を支える強度を有する必要もある。このため、食器かごの構成が極めて複雑となる不都合がある。
【０００６】
上記の点に鑑み、本発明は、食器かごの構造を極めて簡単とし、食器かごへの荷重負荷も軽減できる食器洗浄機を提供することを目的とする。
【課題を解決するための手段】
【０００７】
かかる目的を達成するために、本発明は、筐体と、該筐体に収容されて前方に引出し自在の上部が開放された洗浄槽と、該洗浄槽の内部に食器を支持する食器かごとを備える食器洗浄機において、 前記洗浄槽は、その周壁内面に、前記食器かごを回動自在且つ付け外し可能に軸支する軸受部を一体に備え、前記軸受部は、前記洗浄槽の互いに対向する周壁内面から突出する突出部と、該突出部に形成されて前記食器かごが備える回動軸を装着自在とすべく上端が開放され下端が閉塞された溝状の凹部とを備え、前記食器かごの前記回動軸は、前記凹部の下端に着座して回動自在となり、前記軸受部の前記突出部は、前記凹部の前方側の突出部と前記凹部の後方側の突出部とからなり、前記凹部の前方側の突出部と前記凹部の後方側の突出部との夫々の上端面には、前記凹部に向かって次第に下降する傾斜面が互いに対向して形成され、前記凹部の前方側の前記突出部の最上部の高さは、前記凹部の後方側の前記突出部の最上部より低く形成されていることを特徴とする。
【０００８】
本発明によれば、食器かごを回動自在に軸支するための軸受部を、洗浄槽の周壁内面に一体に設けたことにより、食器かごは、軸受部に軸支させる部分を備えるだけでよく、回動自在となる食器かごの構造を極めて簡単とすることができると共に、食器かごへの荷重負荷も軽減できる。
【００１０】
また、洗浄槽の軸受部が凹部を備え、食器かごは、その回動軸が軸受部の凹部に装着されることにより洗浄槽内に取り付けられる。これにより、軸受部の構成を極めて簡単として食器かごを回動自在とすることができるだけでなく、凹部による食器かごの回動軸の支持を解除して食器かごを洗浄槽から容易に取り外すことができる。
【００１１】
また、食器かごの回動軸が前記傾斜面により軸受部の凹部に向かって確実に案内されるので、食器かごの回動軸を軸受部の凹部に装着する作業を容易として且つ確実に装着することができる。
【図面の簡単な説明】
【００１４】
【図１】本発明の実施形態の食器洗浄機の構成を模式的に示す説明図。
【図２】食器かごの斜視図。
【図３】食器かごの取付け状態を平面視した説明図。
【図４】軸受部の斜視図。
【図５】当接段差の斜視図。
【図６】起立姿勢の食器かごを示す説明図。
【図７】水平姿勢の食器かごの食器に載置した状態を示す説明図。
【発明を実施するための形態】
【００１５】
本発明の実施形態を図面に基づいて説明する。図１に示す本実施形態の食器洗浄機１は、システムキッチンに組み込に設置されるビルトイン式のものであり、食器洗浄機１の筐体２には、前方に引出し自在な洗浄槽３が収容されている。
【００１６】
洗浄槽３の底部側には、洗浄水を噴出する洗浄ノズル４が設けられており、洗浄槽３の背面側には洗浄槽３内の食器を乾燥させるための乾燥用空気を導入する乾燥ダクト５及び乾燥ファン６が設けられている。
【００１７】
更に、洗浄槽３の底部には、洗浄槽３内に残菜フィルタ７を介して連通する洗浄水の溜り部８が設けられている。洗浄槽３の底部下側には、溜り部８に連通する洗浄・排水ポンプ９が設置されている。洗浄・排水ポンプ９は、正転させたときに洗浄ノズル４に洗浄水を供給し、逆転させたときに洗浄槽３からの排水を行う。
【００１８】
洗浄槽３の内部には、上部食器かご１０と下部食器かご１１とが取り付けられている。下部食器かご１１は、大皿、小皿、中鉢、椀等の比較的大型の食器Ｗを支持し、上部食器かご１０は、コップや湯飲み等の比較的小径で底の深い食器Ｗを支持する。なお、上部食器かご１０が本発明における食器かごに相当する。上部食器かご１０の詳細な構成については後述する。
【００１９】
前記洗浄ノズル４は、洗浄槽３の下部食器かご１１の下側に配設された水平方向に長手の下ノズル１２と、下ノズル１２の長手方向中央部に立設されたセンターノズル１３とにより構成されている。
【００２０】
下ノズル１２は、その長手方向中央部で鉛直軸線回りに旋回しつつ下部食器かご１１に向けて洗浄水を噴出する。下ノズル１２は、洗浄・排水ポンプ９から供給される洗浄水の噴出反力によって旋回するようになっている。
【００２１】
センターノズル１３は下ノズル１２と一体に回転する下半部１３ａと、この下半部１３ａに上下動自在に挿設された上半部１３ｂとで構成されている。洗浄・排水ポンプ９から洗浄水が供給されたとき、センターノズル１３は下ノズル１２と共に旋回しつつ水圧によって上半部１３ｂが上方にのびるようになっている。そして、センターノズル１３の下半部１３ａの上端部（上半部１３ｂとの境界位置）に形成されている噴出口と、上半部１３ｂに形成されている噴出口との両方から放射状に洗浄水が噴出される。
【００２２】
上部食器かご１０は、図２に示すように、樹脂コーティングされた金属製線材によって形成された基枠１４と、基枠１４に固定された合成樹脂製の食器支持部材１５とで構成されており、図３に示すように、洗浄槽３の後方半部に取り付けられている。
【００２３】
食器支持部材１５は、図２に示すように、湾曲する２列の食器載置部１５ａ，１５ｂを備えている。食器載置部１５ａ，１５ｂの夫々には、複数の食器Ｗが２列に並べて載置される。なお、図示省略したが、食器載置部１５ａ，１５ｂが湾曲する形状であるため、これに沿って配列された食器Ｗは平面視扇状に並べられる。
【００２４】
基枠１４は、図２及び図３に示すように、後端側で左右方向に延出する回動軸部１６と、前方に向かって平行に延出する一対の前方延出部１７とを備えている。
【００２５】
回動軸部１６は、図４に示すように、洗浄槽３の互いに対向する左右の側壁内面の後壁面寄りの位置に一体に形成された軸受部１８に支持される。軸受部１８は、洗浄槽３の側壁内面から突出する突出部１９と、突出部１９に形成された凹部２０とを備えている。凹部２０は、上端が開放され下端が閉塞された溝状に形成されている。また、軸受部１８の突出部１９の上面には、凹部２０に向って下降する方向に傾斜する傾斜面２１が形成されている。
【００２６】
上部食器かご１０は、回動軸部１６が軸受部１８の凹部２０の下端に着座した状態で軸支されることで、起立方向に回動自在となる。また、凹部２０の上端が開放されていることにより、回動軸部１６を凹部２０から容易に脱出させることができ、上部食器かご１０の洗浄槽３への付け外しを容易に行うことができる。
【００２７】
更に、回動軸部１６は、軸受部１８の突出部１９に形成されている傾斜面２１により凹部２０に入る方向に案内されるので、上部食器かご１０の洗浄槽３への取り付けを円滑に行うことができる。
【００２８】
また、前方延出部１７は、図５に示すように、洗浄槽３の左右の側壁内面に一体に形成された当接段部２２の上端に当接支持される。前方延出部１７が当接段部２２の上端に当接したとき、上部食器かご１０は水平姿勢となる。
【００２９】
このように、洗浄槽３の側壁内面に、上部食器かご１０の回動軸部１６を軸支する軸受部１８を設けたことにより、上部食器かご１０を、例えば下部食器かご１１に回動自在に支持することなく構造簡単に回動自在とすることができる。
【００３０】
上部食器かご１０を回動させて起立姿勢にすることにより、図６に示すように、上部食器かご１０の下方に位置する下部食器かご１１の上方が開放されるので、下部食器かご１１への食器Ｗの載置作業が容易となる。しかも、下部食器かご１１と独立して上部食器かご１０を洗浄槽３から取り外すことができるので、上部食器かご１０を取り外して下部食器かご１１の上方空間を広くすることができる。よって、例えば下部食器かご１１に鍋等の比較的大型の被洗浄物を載置させるときにも、上部食器かご１０が邪魔になることがなく、洗浄対象物の自由度も高くなる。
【００３１】
ところで、上部食器かご１０を、その回動によって起立させると、図６に示すように、上部食器かご１０の先端側が洗浄槽３の上縁よりも高い位置にはみ出した状態となる。上部食器かご１０の起立状態が維持されると、前方に引出されている洗浄槽３を筐体２に戻すときに、洗浄槽３の上部にはみ出した上部食器かご１０が筐体２と干渉するおそれがある。
【００３２】
そこで、本実施形態においては、上部食器かご１０を起立方向に起立させたとき、上部食器かご１０の後端が洗浄槽３の後壁内面３ａに当接してこれ以上起立させることができないようになっている。洗浄槽３の後壁内面３ａは、本発明の規制部に相当する。即ち、図６に示すように、規制部として機能する洗浄槽３の後壁内面３ａは、上部食器かご１０の重心ｇが軸受部１８による回動支点（本実施形態では回動軸部１６の中心）を通る鉛直線ｘを超えない位置で上部食器かご１０の回動を規制する。
【００３３】
これにより、使用者が、上部食器かご１０の回動軸部１６より遠い先端を持ち上げるようにして起立方向に回動させると、上部食器かご１０の後端部が洗浄槽３の後壁内面３ａに当接し、上部食器かご１０の回動が規制された状態となる。このとき、上部食器かご１０の重心ｇは、軸受部１８による回動支点を通る鉛直線ｘよりも前方に位置する。そして、使用者が上部食器かご１０から手を離すと、上部食器かご１０は起立状態を維持できずに自重で水平姿勢に戻る。その後、水平姿勢の上部食器かご１０には、図７に示すように、食器Ｗを載置することができる。
【００３４】
このように、洗浄槽３の後壁内面３ａが上記の状態で上部食器かご１０を規制することにより、前方に引出されている洗浄槽３を筐体２に戻すときに、それに先立ち上部食器かご１０が自重で水平姿勢に戻り、上部食器かご１０と筐体２との干渉を防止することができる。また、上部食器かご１０は自重で起立姿勢から水平姿勢になるので、常に食器Ｗが載置できる状態となり、起立姿勢の上部食器かご１０を水平姿勢に回動させる煩わしい操作を不要とすることができる。
【００３５】
なお、本実施形態においては、洗浄槽３の後壁内面３ａを平坦な状態で規制部としているので、極めて構造簡単である。これは、洗浄槽３の後壁内面３ａから軸受部１８までの距離や上部食器かご１０の後端部形状により可能となるものである。一方、これ以外に、図示しないが、洗浄槽３の後壁内面３ａから上部食器かご１０の後端部に向って突出する突起を規制部として形成し、起立させた上部食器かご１０の所定部分を突起に当接させることで上部食器かご１０の回動を規制してもよい。
【符号の説明】
【００３６】
１…食器洗浄機、３…洗浄槽、３ａ…後壁内面（規制部）、１０…上部食器かご（食器かご）、１６…回動軸部（回動軸）、１８…軸受部、１９…突出部、２０…凹部、２１…傾斜面、ｇ…重心、ｘ…鉛直線、Ｗ…食器。
【図１】
0006391766.tif 000002
【図２】
0006391766.tif 000003
【図３】
0006391766.tif 000004
【図４】
0006391766.tif 000005
【図５】
0006391766.tif 000006
【図６】
0006391766.tif 000007
【図７】
0006391766.tif 000008